(57)【特許請求の範囲】
【請求項１】
管を支える開放端型のソケットが形成された連結体と、
前記ソケットの開放端に配置され、リングと複数の可撓性アームを有し、該アームはリングの略軸方向でソケット内に延びているコレットであって、前記ソケット周囲の前記連結体の壁部には、前記開放端に向けて集束する傾斜カム面を有し、コレットアームは遠位端に、前記コレットを通過して前記ソケット内に延びる管と前記傾斜カム面との両方に嵌合するヘッドを有し、前記ソケットに対する前記コレットの外向きの移動によって、前記ヘッドが前記傾斜カム面により前記管に押圧されることで、前記管が前記ソケット内に固定される、コレットと、
前記連結体に回転可能に取り付けられたコレットロックであって、前記外向きにおける前記管の固定位置に前記コレットを保持する第１の回転位置と、前記コレットが前記ソケットに対して軸方向に移動して、前記コレットによる管の開放及び嵌合が可能な第２の回転位置を有する、コレットロックと、を備え、
前記コレットロックは前記連結体を取り囲むスリーブを有し、
前記連結体は、前記ソケット内に挿入された管の位置を視認可能にする１つ又は複数の開口を有し、
前記スリーブは、前記コレットの固定位置における前記１つ又は複数の開口を覆い、前記コレットの開放位置における前記１つ又は複数の開口を露出させる形状を有する、ことを特徴とする管継手。
【請求項２】
前記コレットロックは、該ロックの回転により前記ソケットの外向きに前記コレットを駆動して、前記コレットを外向きの管の固定位置に保持する手段を有する、請求項１に記載の管継手。
【請求項３】
前記コレットロックと連結体はともに、該コレットロックの回転により該コレットロックを前記連結体の軸方向で外向きに変位させ、前記連結体の外向きに前記コレットを駆動させる相互嵌合用ガイド手段を有する、請求項２に記載の管継手。
【請求項４】
前記コレットロックと前記連結体間で作用する前記相互嵌合用ガイド手段は、前記コレットロックと前記連結体間で作用するカム手段を有する、請求項３に記載の管継手。
【請求項５】
前記カム手段は、前記コレットロックと前記連結体上にそれぞれカムとカムフォロア、又はその逆にカムフォロアとカムをそれぞれ有する、請求項４に記載の管継手。
【請求項６】
前記スリーブは前記コレットのリングに連結され、該スリーブが前記連結体の外部方向に軸移動することで、前記コレットを前記連結体の外部方向に引き出す、請求項５に記載の管継手。
【請求項７】
前記コレットリングは前記連結体の開放端から突出し、前記スリーブの一端は、前記連結体の開放端を超えて突出して前記リングと嵌合する内側回転フランジを更に有し、前記スリーブが軸方向で外向きに移動することにより、前記ソケットの軸方向外向きに前記コレットを駆動する、請求項６に記載の管継手。
【請求項８】
前記コレットリングは外側回転ヘッドを有し、前記スリーブの前記フランジは前記ヘッドの背後に嵌合する、請求項７に記載の管継手。
【請求項９】
前記カム手段は、前記連結体の周りに形成されたカム面を備え、単数または複数のカムが、前記カム手段の前記カム面と嵌合する前記スリーブ内に形成されている、請求項４〜８のいずれか一項に記載の管継手。
【請求項１０】
前記カム手段の前記カム面は前記スリーブ内の前記連結体の外側に形成され、前記単数または複数のカムは前記連結体を囲むスリーブの壁部に形成されている、請求項９に記載の管継手。
【請求項１１】
前記カム手段は、前記連結体内の前記ソケット上に形成されたカム面を備え、前記単数または複数のカムは前記スリーブの一端で前記内側回転フランジに形成され、前記ソケット内に突出している、請求項７又は８に記載の管継手。
【請求項１２】
前記カム手段の前記カム面は、前記コレットのロック位置と開放位置間の前記スリーブの回転角が９０°となるように形成された、請求項９〜１１のいずれか一項に記載の管継手。
【請求項１３】
前記カム手段の前記カム面は、前記スリーブが前記コレットのロック位置からいずれの向きに回転することに対しても抵抗する、請求項９〜１２のいずれか一項に記載の管継手。
【請求項１４】
前記カム手段の前記カム面には、前記カムを前記コレットロック位置に支承する浅い凹部が形成され、前記スリーブが前記コレットのロック位置からいずれの向きに回転することに対しても抵抗となる、請求項１３に記載の管継手。
【請求項１５】
前記連結体に関して前記コレットロックの回転が制限される、請求項１〜１４のいずれか一項に記載の管継手。
【請求項１６】
前記コレットロックの回転は前記連結体に関して９０°以下又は１８０°以下に制限される、請求項１５に記載の管継手。
【請求項１７】
前記連結体に関して前記コレットロックの回転を制限する手段は、前記コレットロック及び連結体に設けられた相互嵌合素子を含む構成である、請求項１５又は１６に記載の管継手。
【発明の詳細な説明】
【技術分野】
【０００１】
本発明は、気体又は液体状態の流体を導通する管又はパイプラインにおける管を連結するための管継手に関する。
【背景技術】
【０００２】
我々の英国特許第１５２０７４２号の明細書では、管を支承するオープンエンド（開放端）型のスルーウェイを有する連結体を備えた管継手について記載及び図示している。コレットはスルーウェイの開放端に配置され、リングを有し、リングの複数の可撓性アームは、概ね、スルーウェイ内に延びている。
【発明の概要】
【発明が解決しようとする課題】
【０００３】
スルーウェイは、前記スルーウェイの開放端に集束する傾斜カム面を有し、コレットアームはそれらの遠位端においてヘッドを有しており、カム面と、コレットを通ってスルーウェイ内に延びる管との両方を嵌合している。コレットがスルーウェイの開放端に向けて移動することで、コレットアーム上のヘッドはカム面により管に押圧され、管をスルーウェイに固定する。コレットリングはスルーウェイから延びて外側回転フランジ又はヘッドを有しており、器具や手でコレットを操作して連結体に管をロックしたりロック解除することを容易にしている。コレットのヘッド又はフランジと連結体の隣接端部間を係合するために「Ｃ」字形状のロッククリップを設け、管がコレットで連結体にロックされる外向き延在位置にコレットを保持して、コレットが不慮で解除されるのを防止するように構成できる。ロック機能の別体の部品を設けることは、クリップが連結体に利用できないか又は取り付け者が単にクリップをコレットに適用することを見逃した場合は、コレットはアンロック状態のままとなる。
【課題を解決するための手段】
【０００４】
本発明は、管を支える開放端型のスルーウェイを有する連結体と、前記スルーウェイの開放端に配置され、リングと複数の可撓性アームを有し、該アームはリングの略軸方向でスルーウェイ内に延びているコレットと、を備える管継手を提供するもので、該管継手は、前記スルーウェイは前記開放端に向けて集束する傾斜カム面を有し、コレットアームはコレットアームの遠位端にヘッドを有し、前記カム面と、前記コレットを通過して前記スルーウェイ内に延びる管の両方を嵌合し、前記スルーウェイに対してコレットを外向きに移動させることで、前記スルーウェイはカム面によって前記管に押圧されることで、前記管を前記スルーウェイに固定し、更に、前記連結体に回転可能に取り付けられたコレットロックを備え、前記連結体は、前記ロックが前記外方向の前記管の固定位置に前記コレットを保持する第１の回転位置と、前記コレットが前記スルーウェイに関して軸方向に移動して前記コレットにより管を開放及び嵌合可能とする第２の回転位置を有することを特徴とする。
【０００５】
本発明の好ましい態様では、前記コレットロックは、該ロックの回転により前記スルーウェイの外方向に前記コレットを駆動して、前記コレットを外向きの管の固定位置に保持する手段を有する。
【０００６】
特に、前記コレットロックと連結体はともに、該コレットロックの回転により該コレットロックを前記連結体の軸方向で外向きに変位させ、前記連結体の外向きに前記コレットを駆動させる相互嵌合用ガイド手段を有する。
【０００７】
例えば、前記コレットロックと前記連結体間で作用する前記相互嵌合用ガイド手段は、前記コレットロックと前記連結体間で作用するカム手段を有することも可能である。
【０００８】
前記態様において、前記カム手段は、前記コレットロックと前記連結体上にそれぞれカムとカムフォロア、又はその逆にカムフォロアとカムをそれぞれ有することもできる。
【０００９】
前記いずれかの態様において、前記コレットロックは前記連結体を取り囲むスリーブを有することもできる。
【００１０】
前記態様において、前記スリーブは前記コレットのリングに連結され、該スリーブが前記連結体の外部方向に軸移動することで、前記コレットを前記連結体の外部方向に引き出すことも可能である。
【００１１】
前記態様の一好ましい形態では、前記コレットリングは前記連結体の開放端から突出し、前記スリーブの一端は、前記連結体の開放端を超えて突出して前記リングと嵌合する内側回転フランジを更に有し、キャップが軸方向で外向きに移動することにより、前記スルーウェイの軸方向外向きに前記コレットを駆動する。
【００１２】
特に、前記コレットリングは外側回転ヘッドを有し、前記スリーブの前記フランジは前記ヘッドの背後に嵌合することもできる。
【００１３】
前記態様の一好ましい形態では、前記カム面は前記連結体の周りに形成され、単数または複数のカムが、前記カム面と嵌合する前記スリーブ内に形成されてもよい。
【００１４】
本発明に係る一形態では、前記態様において、前記カム面は前記スリーブ内の前記連結体の外側に形成され、前記単数または複数のカムは前記スリーブ内に形成されてもよい。
【００１５】
前記態様において、更に一形態では、前記カム面は前記連結体内の前記スルーウェイ上に形成され、前記単数または複数のカムは、前記スリーブの一端で前記内側回転フランジに形成され、前記スルーウェイ内に突出してもよい。
【００１６】
前記態様の一好ましい形態では、前記連結体上の前記カム面は、前記コレットのロック位置と開放位置間の前記スリーブの回転角が９０°となるように形成してもよい。
【００１７】
前記態様において更に別の形態では、前記カム面は、前記スリーブが前記コレットのロック位置からいずれの向きに回転することに対しても抵抗する。
【００１８】
例えば、前記カム面には、前記カムを前記コレットロック位置に支承する浅い凹部が形成され、前記スリーブが前記コレットのロック位置からいずれの向きに回転することに対しても抵抗となることもできる。
【００１９】
前記態様の一好ましい形態では、前記連結体は、前記スルーウェイ内に挿入された管が見えるように配置することを可能にする１つ又は複数の開口を有してもよい。
【００２０】
前記態様において、前記スリーブは、前記コレットロック位置の前記１つ又は複数の開口を覆い、前記コレットの開放位置において前記１つ又は複数の開口が現れるような形状である。
【図面の簡単な説明】
【００２１】
【図１】連結体と、管を所定位置にロックするために連結体に設けられたコレットと、連結体内に挿入された管と、管が連結体から不慮で外れるのをコレットが防止するためのロック装置を有し、ロック装置はアンロック（ロック解除）位置に示され、コレットロック装置により現れるロック機構を見るための窓が連結体に形成された、管継手の断面図である。
【図２】コレットロック位置におけるロック装置と、コレットロック装置で覆われた連結体内への窓を示す、図１と同様の図である。
【図３】図２において９０°で切断した図２に示す状態の管継手を示す図である。
【図４】管を省略した図１に示す管継手の斜視図である。
【図５】管を省略した図２に示す管継手の斜視図である。
【図６】コレットロック装置を省略した図５に示す管継手の斜視図である。
【図７】図６に示す連結体の側面図である。
【図８】コレットロックスリーブの斜視図である。
【図９】管を連結体の一端に挿入し、連結体内の管が離脱しないようにロックし、管を取り外すことができるようにロックを解除する一連の動作を示す、図１−５のダブルエンド型の連結体の斜視図である。
【図１０】図９と同様の、一連の動作を示す、ダブルエンド型の連結体の斜視図である。
【図１１】図１０と同様の、一連の動作を示す、ダブルエンド型の連結体の斜視図である。
【図１２】図１１と同様の、一連の動作を示す、ダブルエンド型の連結体の斜視図である。
【図１３】図１２と同様の、一連の動作を示す、ダブルエンド型の連結体の斜視図である。
【図１４】連結体の外側を囲むカムとコレットロックスリーブ内のカムフォロアの変形を示す、図５−８と同様の斜視図である。
【図１５】連結体の外側を囲むカムとコレットロックスリーブ内のカムフォロアの変形を示す、図５−８と同様の斜視図である。
【図１６】連結体の外側を囲むカムとコレットロックスリーブ内のカムフォロアの変形を示す、図５−８と同様の斜視図である。
【図１７】連結体の外側を囲むカムとコレットロックスリーブ内のカムフォロアの変形を示す、図５−８と同様の斜視図である。
【図１８】連結体の外側を囲むカムとコレットロックスリーブ内のカムフォロアの変形を示す、図５−８と同様の斜視図である。
【図１９】図１−３に対応し、第３の変形態を示す図である。
【図２０】図１−３に対応し、第３の変形態を示す図である。
【図２１】図１−３に対応し、第３の変形態を示す図である。
【図２２】図１−３に対応し、第３の変形態を示す図である。
【図２３】図４−８に対応し、第３の変形態を示す図である。
【図２４】図４−８に対応し、第３の変形態を示す図である。
【図２５】図４−８に対応し、第３の変形態を示す図である。
【図２６】図４−８に対応し、第３の変形態を示す図である。
【図２７】図４−８に対応し、第３の変形態を示す図である。
【図２８】図９−１３に対応し、第３の変形態を示す図である。
【図２９】図９−１３に対応し、第３の変形態を示す図である。
【図３０】図９−１３に対応し、第３の変形態を示す図である。
【図３１】図９−１３に対応し、第３の変形態を示す図である。
【図３２】図９−１３に対応し、第３の変形態を示す図である。
【図３３】第４の変形態を示す図である。
【図３４】第４の変形態を示す図である。
【図３５】第４の変形態を示す図である。
【図３６】第４の変形態を示す図である。
【図３７】第４の変形態を示す図である。
【図３８】第４の変形態を示す図である。
【図３９】第４の変形態を示す図である。
【図４０】第４の変形態を示す図である。
【図４１】第４の変形態を示す図である。
【図４２】第５の変形態を示す図である。
【図４３】第５の変形態を示す図である。
【図４４】第５の変形態を示す図である。
【図４５】第５の変形態を示す図である。
【図４６】第５の変形態を示す図である。
【図４７】第５の変形態を示す図である。
【図４８】第５の変形態を示す図である。
【図４９】第５の変形態を示す図である。
【図５０】第５の変形態を示す図である。
【図５１】第６の変形態を示す図である。
【図５２】第６の変形態を示す図である。
【発明を実施するための形態】
【００２２】
以下、本発明を実施するための特定の形態について添付の図面を参照して説明する。最初に、図１〜８に示す形態について説明すると、高強度プラスチック材で成型された管連結体１０は中央のスルーウェイ１１を有し、内部円筒状の差込口１２で終端している。環状の凹部１３が連結体の端面１４から連結体の壁部内に延びて段部１５で終端し、差込口１２の周囲に管１６の端部を受け止めるソケットを形成している。
【００２３】
ソケットの端部１５に隣接する差込口の外部表面は、管１６の内面と係合するように、参照番号１７で示す波形状に形成され、差込口の外面には間隔をおいて２つの環状溝１８も形成され、該環状溝内にはＯ字形リング状シール部材１９が配置され、差込口を覆う配置の管１６の内部表面で密閉するように構成されている。
【００２４】
管は、参照番号２０で示すコレットによりソケットの差込口に保持され、該コレットもプラスチック材で成型されている。コレットはリング２１を含み、該リングはソケットの入口に配置され、軸方向に延びてヘッド２３で終端する複数の可撓性アーム２２を有する。金属歯２４がヘッド内に成型され、ヘッドの内部側に突出し、管１６を係止し把持している。
【００２５】
ソケット周囲の連結体の壁部には、ソケットの開口端に向けて集束する傾斜状カム面２５が形成され、ヘッド２３が係合可能であり、コレットが連結体から僅かに取り外し方向に移動すると、管の外面にヘッドを押圧することができる。コレットのリング２１は、ソケットの開口端の外側に突出し、連結体の端部上に形成された一体的外側向き回転フランジであるヘッド２６を有する。
【００２６】
スリーブ２７を有するコレットロックが、連結体の回りに回転するとともに、連結体の端部上を軸方向に摺動するように、連結体の開口端に隣接して連結体上に配置されている。スリーブは内側向き回転フランジ２８を有し、連結体の端部とコレットのヘッド２６間を係合している。ソケットを取り囲む連結体の外壁には複数のポート２９が離間して形成され、管をコレットのヘッドでロックして、操作者が観察及びチェックすることを可能にしている。
【００２７】
図６〜８を参照して説明すると、連結体端部１４に隣接した連結体の外部壁には、番号３０で示す周回カム面が形成され、該カム面３０はスルーウェイの開口端に向かって対面している。カム面は２つの深いスロット３１を有し、該スロットは連結体の開口端から窓部２９を通過して連結体に沿って延び、カム面は該スロット間に浅い傾斜部３２を有し、該傾斜部は、スロットの側部から延び、短いリッジ（隆起）部３２で終端し、該リッジ間には浅い凹部３４が形成されている。
【００２８】
スリーブ２７は一組の略四角形の一体的カムフォロア３５を有し（図８では１つのみ図示している）、該カムフォロアはスリーブ端部においてスリーブの内部側及び内側向き回転フランジと一体的に成型されている。カムフォロア３５は、連結体のカム面に形成されたスロット３１の幅に匹敵する周縁長さを有する。カムフォロア３５はカム面を係止し、スリーブの回転により連結体に対してスリーブの軸位置が調整される。カムフォロア３５がスロット３１に嵌合すると、スリーブのフランジ２９は、連結体の端部に対抗して配置され、コレットのヘッド２６がスリーブのフランジ２８と係合するまで、コレットは連結体のソケット内に押し込まれる。コレットのまさにその地点において、コレットアームのヘッドは連結体の傾斜カム面から離脱され、管を連結体に挿入又は連結体から取り外すことができる。
【００２９】
スリーブ２７が９０°回転してカムフォロア３５をスロット３１から離脱させると、カムフォロアは傾斜部３２に乗り上げ、連結体端部からスリーブの内側向き回転端部２８を持ち上げ、コレットのヘッド２６を連結体端部から強制的に離れるようにする。その結果、カムフォロア３５は傾斜部の頭部においてリッジ部３３上に乗り上げた後、凹部３４内に落ち込むことで、カムフォロアの連結体に関する回転に抗してカムフォロアは保持される。この地点において、コレットのヘッド２３は連結体の傾斜カム面２５に対して強制的に保持され、管１６に対してヘッドをロック状態とし、連結体内に管をロックする。連結体から管を取り外すためには、スリーブ２７を回転させてカムフォロア３５を凹部３４から取り出すように駆動し、スロット３１を用いてレジスタ内に逆戻りさせることで、スリーブのフランジが連結体端部と係合するまで、スリーブは、再度、連結体上を軸方向に摺動することができ、コレット２０を内部方向に移動させ、コレットのヘッドを管との把持係合状態から解除することを可能にしている。
【００３０】
図示していないが、更に別の形態では、カムがキャップ内に形成され、連結体上のカムフォロアはキャップを回転させることにより、キャップを軸方向に変位させることができる。
【００３１】
頭部の壁部２８から離間したスリーブの端部４０には、スリーブの回りに、窪みと峰部が交互にシヌソイド状等の形状に形成され、窪み形状において、連結体壁の窓部２９が現れ、連結体中における管のロック状態を見ることができる。スリーブがコレットの解除位置にあるとき、窓部２９は露出するので、操作者は、スリーブを回転させて製品が管を所定位置に把持しロックする前に、管１６が連結体の差込口１２に充分に挿入されていることを確認することができる。カムフォロア３５がカム面の凹部３４に嵌合した状態のスリーブの後者の位置において、スリーブの峰部は連結体のスロットを覆っている。同様の効果が得られるように、他の形状がスリーブの端部に適用されることが好ましい。例えば、スリーブの端部は、互いに離間して設けられた窪み又は凹部を有し、連結体に窓部を設けてもよい。
【００３２】
図９〜１３は図１〜８に示された形体のダブルエンド型の連結体を示し、管を連結体に挿入し、スリーブを回転させて管を連結体内にロックし、スリーブを回転させて管を解除し、コレットを内部方向に押圧して管を連結体から取り外すことを可能にする一連の工程を示している。
【００３３】
図１４〜２２は、図１６〜１８に最もよく示されているように、カム形状３１とカムフォロア３５が変形された同様の形態を示す。ここでは、カムは前述の形態の深いスロット１の代わりに連結体に沿って延びる浅い凹部３１のみを有するので、スリーブの軸方向の変位の範囲が減少されている。それ以外の本形態の特徴は前述の実施形態と同様である。
【００３４】
図１９〜２７は更に他の形体を示し、スリーブを起動するためのカム面３１が、連結体及びカムフォロア３５の入口部に内部的に形成されている。
【００３５】
図３３〜４１及び図４２〜５０は更に別の形態のカムを示し、カムは連結体の入口部の回りとスリーブの端部における内側向き回転フランジ上に形成されている。再度、コレットをロック及び解除するためのスリーブの動作は、第１の実施形態で説明したものと全く同じである。
【００３６】
上記形態のいずれかに適用可能な更に別の形体では、連結体に対するスリーブの回転が、例えば、スリーブ上に形成された素子又は前記カムに形成されたエンドストップにより、１８０°に制限されている。
【００３７】
図５１及び５２は本発明の更に別の適用例を示す。図５１は、コレットとコレットロックが削除された変形体の連結体１０を示す。
【００３８】
連結体端部１４は概略５０で示す周縁枠のしゃくり部を有し、連結体端部に隣接した軸方向に面するステップ部５１と、連結体端部上に短いカラー５２を形成している。カラー５２は４つの等間隔で一体構成の外部方向に突き出した突起５３を有し、該突起の外側面は連結体１０の外側面より僅かに隆起している。
【００３９】
各突起５３は、カラー５２の回りに巻き付く隣接カム５４を有する。各カムは、ステップ部５１からフラット部５６に向けて立ち上がり、連結体端部と平行に延び、カムと連関した突起５３に通ずる傾斜部５５を有する。短いスプライン５７がカラー５２の外側下方でフラット５６の上方に、突起５３の一側面に隣接して形成され、同様のスプライン５８がカラーの外側面上で突起５３のもう一方の側面に隣接して形成されている。
【００４０】
図５２を参照して説明すると、スリーブ２７は、スリーブの端部フランジ２８に隣接し、スリーブ内に成型された４つの等間隔で配置されたカムフォロア３５を有する。各カムフォロア３５は、後述する目的のために、そのいずれかの端部においてカムフォロアの内面側に形成されたスプライン５９を有する。傾斜スロット６０が、スリーブの内側に沿って軸方向に、各カムフォロア３５の一側部に向けて延在している。
【００４１】
スリーブ２７が連結体に取り付けられるとき、連結体上にスリーブを配置し易くするために、スロット６０は突起５３と位置合わせされる。カムフォロア３５は、連結体端部の周囲の周縁枠しゃくり部５０に嵌合し、各カムフォロアは突起５３とカム５４間で移動可能である。スリーブ２７が回転されてカムフォロア３５が傾斜部５５上に乗り上がるとき、スリーブは、前述のように、連結体の外向きに軸方向に変位し、管のロック位置における連結体の入口部に配置されたコレットを保持する。カムフォロア３５がカムのフラット部５６上に移動するとき、スリーブは連結体からの外向き軸方向の最大移動位置に到達する。カムフォロア３５の先行スプライン５９を、スリーブの逆戻り移動に抗する突起５３の隣接側部のスプライン５７を強制的に通過させることにより、スリーブ３５を前記最大移動位置にロックすることができる。
【００４２】
スリーブが反対方向に回転されると、カムフォロア３５はフラット部５６を乗り越え、カム５４の傾斜部５５の下方でステップ部５１上に移動する。次いで、スリーブは連結体を超えて軸方向に移動可能となり、コレットと管とのロック状態の係合を解除し、管を連結体から取り外すことを可能としている。傾斜部５５の底面に隣接した突起５３の側部のスプライン５８を通過するスリーブの逆戻り移動時に、カムフォロアの先行端部においてスプライン５９をスナップ動作することにより、スリーブを前記位置に保持することができる。このように、カムフォロアは、隣接する複数組の突起５３間を移動するように強制され、全体としての回転角は略９０°と同等の角度で回転する。
【産業上の利用可能性】
【００４３】
本発明は、流体を導通する管又はパイプラインにおける管を連結するための管継手の改善に有用である。
【符号の説明】
【００４４】
１０  連結体
１１  スルーウェイ
１６  管
２０  コレット
２１  リング
２２  アーム
２５  傾斜カム面
２７  スリーブ
３１  スロット
３５  カムフォロア
【図１】
0005663145.tif 000002
【図２】
0005663145.tif 000003
【図３】
0005663145.tif 000004
【図４】
0005663145.tif 000005
【図５】
0005663145.tif 000006
【図６】
0005663145.tif 000007
【図７】
0005663145.tif 000008
【図８】
0005663145.tif 000009
【図９】
0005663145.tif 000010
【図１０】
0005663145.tif 000011
【図１１】
0005663145.tif 000012
【図１２】
0005663145.tif 000013
【図１３】
0005663145.tif 000014
【図１４】
0005663145.tif 000015
【図１５】
0005663145.tif 000016
【図１６】
0005663145.tif 000017
【図１７】
0005663145.tif 000018
【図１８】
0005663145.tif 000019
【図１９】
0005663145.tif 000020
【図２０】
0005663145.tif 000021
【図２１】
0005663145.tif 000022
【図２２】
0005663145.tif 000023
【図２３】
0005663145.tif 000024
【図２４】
0005663145.tif 000025
【図２５】
0005663145.tif 000026
【図２６】
0005663145.tif 000027
【図２７】
0005663145.tif 000028
【図２８】
0005663145.tif 000029
【図２９】
0005663145.tif 000030
【図３０】
0005663145.tif 000031
【図３１】
0005663145.tif 000032
【図３２】
0005663145.tif 000033
【図３３】
0005663145.tif 000034
【図３４】
0005663145.tif 000035
【図３５】
0005663145.tif 000036
【図３６】
0005663145.tif 000037
【図３７】
0005663145.tif 000038
【図３８】
0005663145.tif 000039
【図３９】
0005663145.tif 000040
【図４０】
0005663145.tif 000041
【図４１】
0005663145.tif 000042
【図４２】
0005663145.tif 000043
【図４３】
0005663145.tif 000044
【図４４】
0005663145.tif 000045
【図４５】
0005663145.tif 000046
【図４６】
0005663145.tif 000047
【図４７】
0005663145.tif 000048
【図４８】
0005663145.tif 000049
【図４９】
0005663145.tif 000050
【図５０】
0005663145.tif 000051
【図５１】
0005663145.tif 000052
【図５２】
0005663145.tif 000053